(57)【要約】【課題】  略多面体状の立体を簡単かつ安価に製作できる立体構造体を用いて、地球の陸地を見やすく、人類の歴史の流れなどを学ぶ際にも便利な、地球儀を提供する。【解決手段】  人類の歴史上最も古い文明を持っていたとされる地域を地球の極圏と見立てる事によって文化の流通などを解り易く視覚化できると同時に、地表の陸地が集まった部分が地球儀の上部となり、連続した大陸も視覚的に見やすくなる。また、地点１と地点４を繋ぎ延長させたラインと地点１と地点２を繋ぎ延長させたラインから、地点１を極点に見立てた時の、地球を８分割させる経線に見立てたラインを設け、このラインと直角に交わるライン（う）、ライン（み）ライン（め）を底辺または略多面体状の立体の時の辺とする事により地球儀本体図１を形成する。また、各地点と地点を繋ぐラインに依る幾何学的な関係性を見つける事により地理や歴史などの学習するのに役立てる事ができる。【選択図】  図1
2014235357.tif 000002
【特許請求の範囲】
【請求項１】
エジプト・ギザのクフ王のピラミッドの位置とその構造、グリニッジ子午線（本初子午線）と赤道の交点（緯度0度、経度0度 の地点）、イギリスの古代遺跡、環状列石のストーンヘンジの位置と構造、それらから導き出した各地点とラインを特徴とした地球儀。
【請求項２】
地点とラインをもとに球体である地球を変形させた形態を特徴とした地球儀。
【請求項３】
請求項２記載の地球儀において、形態が、円錐、八角錐、四角錐、をした地球儀。
【請求項４】
請求項３記載の地球儀において、二つの同一形態の円錐、八角錐、四角錐を底面で連結させた形態を特徴とした地球儀。
【請求項５】
請求項４記載の底面で二つを連結させた形態をした地球儀において、頂点を上下にした時の側面下部を水平に切断した形態を特徴とした地球儀。
【請求項６】
請求項１記載の地球儀から、導き出された形態が、正方形、円形、８角形をした世界地図。
【請求項７】
請求項１の地球儀、および、請求項６の世界地図において、コンピュータグラフィックスを用いた地球儀および世界地図。
【請求項８】
請求項３記載の地球儀において、図１２が示すような縦長の角錐の時、陸地や海を、ゆがめてしまうが、視点の角度を変えて見る事により、歪みが矯正して見える地球儀。
【請求項９】
請求項１記載の地球儀において、各地点および、地理的、歴史的な特異点（モニュメンタルな建造物、遺跡、文化、遺産）山、川、砂漠、海、湖を、つないだり区切ったりする線を記載したりしなかったりする事を特徴とした地球儀および地図。
【請求項１０】
請求項１記載の地球儀において、形態が球体の時、従来型の地球儀としても使用できる地球儀。 
【発明の詳細な説明】
【技術分野】
【０００１】本発明は、簡単に作製することが出来る立体構造体及びこれを用いた地球儀及び世界地図に関するものである。
【背景技術】
【０００２】ウィリアム・ベッカー、ベス・ヘイガンスによって提唱された惑星グリッドの原理。相互に面点変換でる双対立体である正12面体と正20面体の組み合わせ地球を幾何学的に捉えようとした物もあるが、同じくエジプトを地点１にして地球上に６２の地点を設けラインを引いているが、クフ王のピラミッドとは、190kmの距離がある事や、北極点と南極点を上下にしている為、赤道上に重要地点がある事や、球体の表面にあるグリッドであり、球体自体を変形させて地球を捉えようとはしていない。【０００３】「正しい上方向」を持たないことを特徴とする世界地図のダイマクション地図は、正二十面体への変形されて立体とする事もある。本発明とは地点１を上または中心とした事や、正二十面体を使用しない点でも、異なる。ダイマクション地図では、大陸の連続性を知る点では、良いのだが、展開図にした時、海洋が複雑に切られてしまい矩形への収まりが悪かった。【０００４】周知された地球儀とは、地球を宇宙空間からみた太陽系を構成する惑星としての天体の模型であった。従来、通常の地球儀においては、弓弧形状のアームの支え台に、地球儀の球体の地軸の両端の極の部分が回転軸棒と地球儀の回転軸穴で２３．４度の地球の地軸の傾きで支えられていて、これを手で回して地球の自転を再現してある。しかしこのアームの支え台は北極と南極の部分を見えにくくするし、またアームに軸で固定されているため、球体を外して手に取って調べることに不都合がある、また、高価であるとともに容積や重量があり、収納や運搬には不便であった。【０００５】そこで、従来、球体を使用することなく、厚紙等を用いて多面体を形成し、この多面体を球体の変わりに地球儀に利用する技術が提案されている
【先行技術文献】
【特許文献】
【０００６】
【特許文献１】特開２０１３−２９５４２号公報
【特許文献２】特開２０１０−６６７０３号公報
【特許文献３】特開２００３−１５５２１号公報
【特許文献３】特開２００１−２３６０１２号公報
【特許文献４】特開２００７−３２８１１９号公報
【特許文献５】特願２００６−１５８９４１号公報
【発明の概要】
【発明が解決しようとする課題】
【０００７】しかしながら、上述した立体の地球儀では、立体を構成する心材を必要としたり、また、球体である地球の再現や、北極と南極を頂点として自転している事の再現に終始している。
【課題を解決するための手段】
【０００８】本発明は、地球を天体としての模型として捉えるのではなく、地球に住む人類から見た地球としてとらえた地球儀である。たとえば、地図において、オーストラリアで販売されている物の中には、オーストラリアが地図の中心となり、南半球が上部になり日本で周知される世界地図とは上下が逆転しているものもある。これは、オーストラリアに住む人の立場から見た世界であるように、本発明は、地球に住んでいる人類側から見た地球儀を提供することである。特に陸地の面積と人類の歴史といった点を重視した。【０００９】本発明は、地球儀において、地軸を失くしてしまう事、つまり、北極点と南極点をずらしてしまい、自転の再現も、ほぼ失くしてしまうデメリットがあるが、それをしてもなお、視覚的に新しく、見やすい地球儀を得ようとするものである。【００１０】地球の極点をエジプトのギザにあるクフ王のピラミッドの位置と見立て、地点１とした。また、地点２である本初子午線（グリニッジ子午線）と赤道の交点を地点２として、イギリスの古代遺跡であるストーンヘンジの位置から地点４をもとめ、地点２と地点４をそれぞれ、地点１とつなぐラインをもとめ、地点１を通過させて地球を一周する、ライン（あ）とライン（い）をもとめた。（あ）と（い）は地点１で直角に交じる。【００１１】また、地点１から、地点４までの距離は３５９９ｋｍある。地点１からのこれと同じ距離を、ライン（あ）、（い２）上に３箇所設け、地点５地点６地点７とした。地点４と５、５と６、６と７、７と４の中点を地点１から通過するライン上の同じ距離（３５９９ｋｍ）の地点をそれぞれ、地点１６、１７、１８、１９とする地点を設ける事で、地点１中心に地球を八分割する経線に見立てた線である、ライン（え）ライン（き）ライン（か）ライン（お）を設けた。【００１２】地点１を囲む正方形に近い形をなす辺（球体上であるため曲線となる）、地点４と５、５と６、６と７、７と４、と地点１６と１７、１７と１８、１８と１９、１９と１６の辺の長さは、地球の円周の八分の一に近いことから、より正確に八分の一になる地点を八地点設けたのが、地点４Ｌ、５Ｌ、６Ｌ、７Ｌ、１６Ｌ、１７Ｌ、１８Ｌ、１９Ｌ、の八地点である。【００１３】地点１の地球の反対側（裏側）に当たる地点２０をもう一つの極点と見立て、地点１と地点４Ｌ、５Ｌ、６Ｌ、７Ｌ、１６Ｌ、１７Ｌ、１８Ｌ、１９Ｌ、の八地点と同じように、地点２０を囲む八地点を求めて地点２１、２２、２３、２４、２５、２６、２７、２８を設けた。【００１４】地点1と地点２０を極点と見立てた時の赤道に相当する線をライン（う）とし、ライン（う）と地点１と地点２０を繋ぐ経線に見立てた八つのラインとの交点をそれぞれ、地点８、９、１０、１１、１２、１３、１４、１５、の八地点設けた。【００１５】上記された地点およびラインは、本発明である地球儀において、略多面体状の立体をえる為の必要最小限の要素である。【００１６】本発明である地球儀および世界地図において、「ライン」および「線」および「辺」および「line」と呼ぶものは同一の意味であり、ここでいうラインとは、各地点同士を線で結んだ物を言う。【００１７】地球儀で言う赤道および緯線、経線は、座標的位置を示���仮想の線が、表記されるのであって、太さの概念は無いが、ここで言うラインにおいては、「太さ」または「幅」を持たせている。【００１８】本発明の地球儀及び世界地図においてのラインの太さ、幅においては、対象距離の、１０００分の１とした、例えば、１メートルの距離であれば、1ｍｍの太さの線とし、地球を一周するラインでは、一周を４万キロメートルとすると４万ｋｍ分の一で、幅４０ｋｍとなる。たとえば、ライン（て）は、９９９７．５ｋｍあるので幅９．９９７５ｋｍとなる。また、地点４７から地点４８までの距離は391.28kmなので、ラインの幅は、３９１メートルとなる。【００１９】本発明の地球儀及び世界地図において、ラインに、ひらがなによる符号を付けたものと付けていないものとあるが、付けていないものは、地点同士の符号をもって、記載する。【００２０】本発明である地球儀および世界地図において、「地点」と呼ぶものは、本発明の地球儀においての略多面体状の立体をえる為の要素であると同時に、歴史的なモニュメントや遺跡であったり、地理的な特異点でもある。たとえば、地点３７は、中華人民共和国陝西省の西安市にある西安鼓楼の位置としたが、西安市と周辺をも意味する。よって地点には、面積を持たせた。面積の表記が無いものおいては、座標を中心に半径５ｋｍとする。【００２１】各地点において、便宜上、任意に名称をつけた。例えば、ギザのクフ王の大ピラミッドはKhufの頭文字の「K」など。これらは説明や認識をする上で、やりやすいためのものである以外に意味は無いものとする。【００２２】請求項１に記載の地球儀とは、地球儀に、ここに挙げる、各地点と各ライン、また、各地点と地球上の地理的、歴史的な特異点（モニュメンタルな建造物、遺跡、文化、遺産）山、川、砂漠、海、湖などを、繋いだり区切ったりしたラインや範囲を記載したり、しなかったりした地球儀である。【００２３】請求項２に記載の地球儀とは、地点１を極点と見立てると、経線に相当する、ライン（あ１）（あ２）（い１）（い２）（え）（お）（か）（き）の八ラインを縦辺として、また、緯線、赤道に相当する、ライン（う）（は）（む）（み）（め）を横辺として変形させた地球儀である。【００２４】請求項３に記載の地球儀とは、地点１を極点と見立てると、経線に相当する、ライン（あ１）（あ２）（い１）（い２）（え）（お）（か）（き）の八ラインを縦辺として、また、緯線、赤道に相当する、ライン（う）（む）（み）（め）を横辺として変形させた、形態が、円錐、八角錐、四角錐の形態  図１０（a)図１１（a)図１２(a)図１３(a)が示す地球儀である。【００２５】また、形態が、例として四角錐の時、側面（斜面）の4面は、ライン（あ）（い）が側面（斜辺）となる場合と面の中心を通る時とがあり、底面となるのは、ライン（め）で繋がれる地点２１、２２、２３、２４の四地点もしくは、地点２５、２６、２７，２８の四地点を正方形に変形させた面となる。【００２６】請求項４記載の地球儀とは、図１０（ｂ）図１１（ｂ）図１２（ｂ）図１３（ｂ）が示す、形態が、四角錐の時、これを、四角錐を底面で二つを連結させた形態の８面体をした地球儀であり、図１３（ｂ）および図１２（ｂ）記載のような地球儀である。形態が、���錐では、図１０（ｂ）であり、八角錐では、図１１（ｂ）である。【００２７】請求項５記載の地球儀である、底面で二つを連結させた形態をした地球儀において、頂点を上下にした時の側面下部を水平に切断した形態を特徴とした地球儀とは、図１０（ｃ）図１１（ｃ）図１２（ｃ）図１３（ｃ）が示すような形態である。【００２８】請求項６記載の地球儀から、導き出された形態が、正方形、円形、8角形をした世界地図とは、地点１を中心とした、正距方位図法を用いた世界地図が、図１５が示すような円形の世界地図であり、正方形となるものは、図１６が示すような形態となる。【００２９】請求項７記載のコンピュータグラフィックスを用いた地球儀および世界地図とは、Google 社が提供しているバーチャル地球儀ソフトであるGoogle EarthやGoogle Mapsに代表されるものである。例えば、図３０が示すような内容や、地点３８が、伊勢神宮の内宮であったり、詳細な情報を盛り込む事においてコンピュータグラフィックスを用いたものであれば容易になる。【００３０】また、ラインや地点やエリアの説明や、地理や歴史の学習などをする際にも、さまざまな情報を表示させたりさせなかったりする事も可能になる。【００３１】請求項８記載の地球儀において、図１２が示すような縦長の角錐の時、陸地や海を、ゆがめてしまうが、視点の角度を変えて見る事により、歪みが矯正して見える地球儀とは、たとえば、道路における道路標示では、路面に文字や記号を描くが、ドライバーの視認性を高める為に、縦に長く描かれているように、略立体に地図を投影する際、頂点に近くなるにつれて、縦長に拡大した時、視点を底面に近い所に置く事により、歪みが矯正して見える地球儀である。【００３２】請求項９記載の地球儀において、各地点および、地理的、歴史的な特異点（モニュメンタルな建造物、遺跡、文化、遺産）山、川、砂漠、海、湖を、つないだり区切ったりする線を記載したりしなかったりする事を特徴とした地球儀および地図とは、ここに記載した地点とラインは、基本的なものであり、地点、ラインともに、記載したもの以外にもあり、複雑になってしまう。例として、図３０の日本地図などでは、一般的な地球儀のサイズには、表示させることが困難である事。また、地球儀や地図にラインや地図を表示させる事により、もともとの地図情報が見えなくなってしまう事からである。これは、上記したコンピュータグラフィクスし用いる事においても解決できるが、たとえば、「世界の言語分布」や「ホモ・サピエンスの拡散経路」など、限定したテーマを示した世界地図や略多面体状の地球儀をつくる事による。【００３３】請求項１０記載の地球儀において、形態が球体の時、従来型の地球儀としても使用できる地球儀とは、一例として、図１８（a)(b)が示すように、回転する機能をもたせた軸、図１７（ｃ）の部品を取り付ける台座固定部（Ａ）（Ｂ）を二箇所設ける事により可能である。【００３４】以下に、地点１から地点７３までの、座標、名称、エリア、地域名等を記載する。なお、符号欄にも、座標のみ記載した。  (地点１)緯度  29°58'44.78"N    経度  31° 8'3.92"E    名称  K  （クフ(Khufu)のピラミッドの頂点）        エリア  狭義には、クフ王ピラミッドの頂点部（キャップストーン）  広義には、半径１８０ｋｍとする。 （地点２）    0° 0'00.00"N    0° 0'0.00"E   名称 RAIL(Rail)（グリニッジ子午線と赤道と第二子午線の三本のラインの交点） （地点３）     0°0'00.00"N  180°00'00.00"E  名称  TRAIN（Train)（１８０度子午線と赤道と第二１８０度子午線の三本のラインの交点）  （地点４）    51°17'5.49"N    1°44'7.71"W  名称  SH (イギリスのストーンヘンジ）                エリア  ストーンヘンジまでを含める距離の半径１５ｋｍとする                ストーンヘンジの中心は   51°10'43.98"N    1°49'34.37"Wなので地点4とは１３km離れる）              （地点４L）     51°29'50.27"N     2°22'8.17"W  名称  ＬＳＨ              エリア  半径１５ｋｍ （地点５）    45°50'43.36"N     67°23'24.05"E  名称  JC                エリア  ５Ｌともに半径１５ｋｍ              （地点５L） 45°58'20.34"N     68° 0'29.11"E  名称  LJC （地点６）     3°35'1.52"N       51° 5'2.30"E  名称  RS              エリア  ６Ｌともに半径１５ｋｍ              （地点６L）    3°12'36.03"N       51°19'53.40"E  名称  LRS （地点７）    7°14'2.77"N      6°31'56.54"E  名称  AA                エリア  ７Ｌともに半径１５ｋｍ              （地点７L）6°54'1.30"N      6°13'37.87"E  名称  LAA （地点８）    33°38'41.31"N    143°22'38.64"E    名称  YAMATO  （東京都から約４００km離れた太平洋上） （地点９）    4°42'39.22"S    118°21'2.33"E  名称  ER  （インドネシア） （地点１０）  42°8'33.63"S  89°59'53.48"E  名称  CHI（インド洋） （地点１１）  59°51'49.94"S  20°16'51.32"E  名称  SR（南極海） （地点１２）  33°34'56.23"S  36°31'47.81"W  名称  SAI（南大西洋） （地点１３）  4°44'52.77"N  61°29'2.68"W    名称  WR（べネズエラ  ギアナ高地付近） （地点１４）  42°11'24.43"N  89°56'15.86"W  名称  TAI（アメリカ合衆国  イリノイ） （地点１５）  59°49'59.76"N 159°41'36.83"W  名称  NR（アラスカ） （地点１６）  62° 6'38.02"N   37°20'24.49"E  名称  KN（カレリア共和国）K点の北              （地点１６L）62°32'4.56"N   37°30'18.13"E  名称  LKN （地点１７）  22°13'50.63"N  66°14'32.90"E   名称  KE（パキスタン  アラビア海）K点の東              （地点１７L）  22° 3'30.08"N  66°40'10.10"E  名称  LKE （地点１８）  2°26'1.51"S   28°15'1.22"E   名称  KS（コンゴ民主共和国  ルワンダ付近）K点の南              （地点１８L）  2°51'58.30"S   28°12'52.52"E  名称  LKS （地点１９）  27°47'0.31"N    5°50'38.96"W  名称  KW（アルジェリアの西）K点の西              ）地点１９L）  27°41'10.84"N     6°19'6.70"W  名称  LKW （地点２０）  29°58'44.98"S    148°51'56.85"W  名称  U（南太平洋  クフ王のピラミッドの地球の真裏） （地点２１）  2°52'20.98"N    151°48'49.04"W  名称  DOG（Dog)（LKSの裏側） （地点２２）  27°42'13.96"S    173°40'24.55"E  名称  CAT（Cat)（LKW点の地球の裏側） （地点２３）  62°31'52.42"S  142°27'10.79"W    名称  BIRD（Bird）（LKNの裏側） （地点２４）  22° 4'47.11"S    113°19'19.91"W  名称  MOAI（Moai)（LBKの裏側イースター島まで687km） （地点２５）  6°54'13.22"S    173°46'24.52"W  名称  BAA（LAA点の地球の裏側） （地点２６）  51°27'21.77"S    177°36'30.02"E  名称  BSH（LSHの裏側） （地点２７）  45°58'24.68"S  111°59'47.73"W  名称  BJC（LJCの裏側） （地点２８）  3°12'37.61"S    128°40'13.81"W  名称  BRS（LRSの裏側） （地点２９） 0° 1'18.08"S    121° 1'48.31"E 名称  MILK（Milk) （地点３０）  0° 6'25.98"N     58°49'36.67"W  名称  HONEY（Honey) （地点３１） 38° 0'31.14"S     94°35'39.88"E  名称  NANTO  （地点１の南東） （地点３２） 38° 3'42.42"N     85°19'33.61"W  名称  HOKUSE  （地点１の北西） （地点３３） 37°56'56.42"N    147°29'4.99"E  名称  HOKUTO  （地点１の北東） （地点３４）  37°53'36.02"S   32°25'59.19"W  名称  NANSE  （地点１の南西） （地点３５）  0° 9'48.43"N   53°22'48.66"E  名称  SURYA（Surya） （地点３６） 53° 5'49.09"N    7°45'53.66"W  名称  OFFARY（Offaly） （地点３７） 34°15'42.30"N    108°56'19.82"E  名称  XI'AN（Xi'an）中国の西安の鼓楼              エリア  半径10ｋｍ（大雁塔までの距離は5.2km）   （地点３８）  34°27'17.93"N    136°43'32.16"E  名称  ISE（伊勢神宮内宮） （地点３９） 14°23'52.88"N    104°40'49.29"E  名称  PREAH（タイとカンボジアの国境「プレアヴィヒア寺院」）            エリア  半径５０ｋｍ  （裏側の地点４４  ナスカと同じ）            （スンダランド  アユタヤ王朝  ミーソン聖域  アンコール・ワットまでとし半径１００ｋｍとする） （地点４０）エリア  半径３ｋｍ（北坡底までの距離）  名称  YELLOW（黄帝稜） （地点４１） 19°53'15.17"N     86° 5'40.49"E  名称  KONARK(Konark)                                （インド・オリッサ州コナーラクの太陽神スーリヤ寺院） （地点４２） 73°42'56.39"N    137° 8'0.47"E  名称  STAR（ロシア北極圏Stolbovoj島付近）            エリア  半径２０ｋｍ （地点４３） 50°37'34.47"N    114° 0'25.60"E  名称  MONGO（モンゴル帝国のスタート地点）          エリア  半径２０ｋｍ （地点４４） 14°36'44.36"S     75° 9'45.12"W  名称  NASU（ナスカ地上絵と周辺遺跡）            エリア  半径５０ｋｍ  （裏側の地点３９  プレアヴィヒアと同じ） （地点４５）  37°31'18.20"N    136°30'26.23"E  名称  WLTV（World  Line  Triangle  vertex） （地点４６） 32°54'46.30"N    129°39'26.15"E    名称  WLTW （地点  ８）  33°38'41.31"N    143°22'38.64"E  名称  YAMATO＝WLTE              地点４５（WLTV)を頂点に、地点４６（WLTW)と地点８（YAMATO)で三角形ができる。              YAMATO点は、WLTE点を兼ねる。 （地点４７）   37°20'18.52"N    136°44'17.02"E  名称  JOTV              （Japan  Original  Triangle  vertices） （地点４８）   35°22'33.93"N    140°21'37.81"E  名称  JOTE（上総一宮 玉前神社） （地点４９）  35°24'45.87"N    133° 5'5.59"E  名称  JOTW（島根県松江市内） （地点５０）   19°41'32.51"N     98°50'36.76"W  名称  TEOTI（Teoti）（テオティワカン  太陽のピラミッド） （地点５１）90°00'00.00"N   経度なし    0° 0'0.00"E  名称  北極点 （地点５２） 90°00'00.00"S  経度なし    0° 0'0.00"W  名称  南極点 （地点５３） 63°29'60.00"S    138° 0'0.00"E  名称  南磁極  （２０１３  4月  Google Earth） （地点５４）82°17'57.57"N    113°24'3.70"W  名称  北磁極  （２０１３  4月  Google Earth） （地点５５） 20°16'22.85"S   30°56'3.71"E  名称  グレート・ジンバブエ遺跡 （地点５６） 32°53'11.91"N  106°20'14.77"W  名称  ホワイトサンズ              （ニューメキシコ州トゥラロサ盆地）エリア  半径２０ｋｍ（地点５７）  15° 9'23.90"S   25°50'49.96"E  名称  Zambia （地点５８） 15° 9'24.02"N  154° 9'10.15"W  名称  Waiha （地点５９） 30° 9'37.66"N  106°52'41.11"E  名称  Center village   （地点６０）  35°26'56.71"N  136°43'47.21"E  名称  岐阜市北柿ケ瀬   （地点６０Ｇｉｆｕ） 35°23'31.60"N    136°43'20.83"E  岐阜県県庁敷地内 （地点６１）  33°27'58.84"N    136°30'21.48"E  （４６と８からなる線の中点より東に2キロ） （地点６２）  41° 9'27.97"N    126°13'33.98"E    名称  Gogu  （集安  高句麗遺跡  将軍墳） （地点６３）48° 7'40.54"N   90° 0'0.00"E  名称  Shige            赤道から５３３４キロと北極点から４６７０キロの地点、地点２と地点３の中点    （地点６４） 48° 8'10.66"S   90° 0'0.29"W  名称  Tom （地点６５）   35°52'55.73"N     76°30'48.46"E  名称  Ｋ２Kara(カラコルム山脈Ｋ２）                エリア  半径１０ｋｍ （地点６６）36°41'40.85"N  155° 4'58.84"W  名称  dog regress （地点６７）15°56'10.15"S  139°22'36.06"E  名称  Cat regress （地点６８） 81°52'54.36"S    6°53'32.55"W  名称  Bird  regress （地点６９） 7° 5'39.75"S   81°50'50.95"W  名称  Moai regress （地点７０） 24°37'33.74"N  108°42'16.62"W  名称  Brs regress （地点７１）18° 4'52.84"N  162°59'3.11"E  名称  Baa regress （地点７２） 54°20'57.70"S  120°17'44.80"E  名称  Bsh regress （地点７３）44°52'35.40"S     63°10'37.20"W  名称  Bjc regress 【００３５】本発明である地球儀においての略多面体状の立体をえる為の必要最小限の要素は上記されたが、本発明の意図する人類の歴史的、地理的なモニュメントや遺跡、また、地形的な特異点等を、今までとは違った視点で、学べることであるので、実施形態に地点やラインを表記する場合に、必要である事と、本発明の説明ともなるのでいくつかの例を捕捉として加える事とする。【００３６】また、ここに挙げた「地点」や「ライン」が、偶然ではあるが、幾何学的な関係性を表していたり、興味を惹かれる地図上の発見でもあり、略多面体状の立体にする必然性にも関連してくる。地理や歴史などを関連づけながら学習する上にも便利であるものなので、いくつかの例を記載する。【００３７】地点２（RAIL）  ライン（あ）について。ライン（あ）は、グリニッジ子午線と赤道の交点地点２（RAIL点）から、クフ王のピラミッド地点１を通過し、地点５、地点４５、地点８、180°子午線と赤道の交点、地点３（Train点）を通過し、地点２０（１の裏）、地点１２、を通過し地球を一周する。赤道に対して約47.97°傾いている。ライン（い）は、（あ）と地点１（クフ王のピラミッド）で、直角に交わる地点４（イギリスのストーンヘンジ）を通過する。（地点４とストーンヘンジとは、13.4kmの距離があるがSHのエリアを半径１５kmとした。黄道は天の赤道に対して約23度26分傾いている。本来は天球として表現されるが、地球儀で表現する場合地球の経度・緯度とも 0°となる赤道とグリニッジ子午線の交点を、天球での春分点に見立てて、起点としている。市販されている地球儀にも表記されている事もあり、子午線と赤道の交点、地点１を起点として表されている。【００３８】地点２９と地点３０は、赤道とライン（う）との交点である。二地点を極点と見立てた時の赤道に相当するラインは、地点１クフ王のピラミッド、地点５１北極、地点５２南極、地点２０の四地点を通過する。また、このラインは、地点１を南北に走るラインで、経線  31° 8'E  経線148°51'W  となる。【００３９】図２４が示すものは地点８を真上から見た図である。一番大きい円は、地点８を極点とした場合の赤道に相当する。接触している符号の数字が入った円は、このライン上を通過する事を意味する、例えば地点４は（う）ラインが通過する円の外側は、図２２が示すように球体の裏側ひらいたイメージであり、舟形多円錐図法を４パーツに分けたイメージである。【００４０】図２８、図２９、図３０が示すようにライン（に）と地点４と４５を繋ぐ線は、（あ）を対称軸に線対称であり、ライン（つ）ライン（て）は、ライン（あ）を対称軸に線対称である。地点１から、地点４８を繋いだラインあ（あ１）と日本付近では、ほぼ平行である地点４８での距離は、5.61km離れるが地点１で合同する。上総一宮 玉前神社、鳥越神社、不忍池、弓立山、妙義山、浅間山山頂、長野市の皆神山、白馬乗鞍山頂、朝日岳山頂を通過する。地図上ではライン（ぬ）は真東から真西つまり御来光ラインと呼ばれる。地点５１は北極点、地点５２は南極点であるので（ぬ）とは直角に交わる。つまり地点４７、４９、４８からなる三角形は正確な二等辺三角形であり、頂角４７と底辺の中点６０を繋ぐ線の延長上に伊勢神宮（内宮）があり、上下には、北極点と南極点に到達する。地図ライン（ぬ）は、上総一宮玉前神社から、地点６（ＲＳ）に到達するが、出雲大社までの間では緯線と平行になる。三点の緯度は、地点６０の緯度  35°26'56.71"N 地点４８玉前神社の緯度  35°22'33.96"N 出雲大社の  35°24'6.92"Nとなる。地点６０のみ少し緯度が高くなる。誤差の範囲とする事も出来るが、より緯線と平行にするために（地点６０Gihu）を設けた。（岐阜県庁の位置）緯度は、35°23'31.60"Nである。（地点60)との距離は、6.3km地点４７から地点４８までの距離＝391.28km地点４７から地点４９までの距離＝391.27km地点６０から地点４８までの距離＝329.85km地点６０から地点４９までの距離＝330.99km地点６０Gihuから地点４８までの距離＝330.501km地点６０Gihuから地点４９までの距離＝330.389km【００４１】図２５が示すように、地点４（イギリスのストーンヘンジ）を極点として見た時の地球の真上から見た概念図であり、一番大きい円は、地点４を極点と見立てた時の赤道に相当するラインである。ライン（ち）は、らいん（た）と、地点８と地点１２で交差し、ライン（い）上で最も離れる。距離は、約２１０ｋｍライン（ち）は地点17と地点5を繋ぐラインを延長したライン地点18と地点7を繋ぐラインを延長したラインと17°23'56.75"N  114°24'25.00"W  地点と  17°25'30.41"S   65°25'50.07"E  地点の二地点で、三本のラインが交差する【００４２】図３３が示すように、地点３５と地点３６を繋ぐラインは  8114kmあり、地球円周の約5分の１となる。地点１６Ｌと地点１７Ｌを繋ぐラインは、５００９kmあり、地球の円周の8分の１となる。地点１を囲むライン4L-5L 、5L-6L、 6L-7L 、7L-4Lの四ラインと16L-17L 、17L-18L 、18L-19L 、19L-16Lの四ラインは同じ様に地点20の囲む地点21、22、23、24と25、26、27、28の地点からなるラインと地球を二分する断面で八角形となる。【００４３】一般にピラミッドとは、エジプトのギザの大ピラミッド、古代エジプトのファラオであるクフ王、カフラー王、メンカウラー王の三大ピラミッドが有名だが、スーダン領となっているヌビア地域にある、上記に比べて、縦長のピラミッドがある。ここで言うメロエ型（ヌビア）型とは、図１２（a)（b)(c)に示すような略多面体状の立体である。図３８および図３９が示すように５角形と八角形から、略多面体状立体の側面からの断面図を導き出した一例である。【００４４】底面となる地点２０を取り囲むライン（め）のエリアは、ほぼ海洋である。チャタム諸島総面積963km2。人口761人（1991年）トンガ王国人口: 104,509 (2011年)トンガ諸島の国土総面積は、約697Km2サモア独立国  南太平洋（オセアニア）総計（2008年）179,000人  面積＝2831km2アメリカ領サモア  総計（2003年）70,260人  総面積197km2  フランス領ポリネシア    273,777 (2011年)    総面積は4167km2ニウエ（ニウエ島、Niue）人口: 1,398 (2009年)  総面積は259km2クック諸島人口:   10,900 (2011年6月)      面積＝236 km2 地点２２  ２１  ２３  ２４を底面の角とした場合は、サモア独立国、アメリカ領サモア、チャタム諸島は、含まれない。また、いずれの場合にも、ニュージーランド、フィジー共和国、イースター島は、含まれない。トンガ諸島の国土総面積は、約697Km2サモア独立国Independent State of Samoa面積＝2831km2東のアメリカ領サモアは，主都のパゴ・パゴのある主島トゥトゥイラ島およびその東のマヌア諸島などの小島。総面積197km2枠内に含まれる陸地の総面積（無人島を含む）は、10,000km2に満たない。これは、世界総陸地との割合 (%)では、0.01%以下となる。略多面体状の地球儀にした際、底面とする場合には、拡大して表示する。底面を持たない場合は、地点２０を取り囲むライン（め）のエリアは世界地図にした際には、大きく歪んでしまうので、大洋の一部に記載などする。【００４５】以下は、ラインで、繋がる地点である。（００１７）に記載した対象距離の、１０００分の１とした、ラインの太さ、幅は、以下は当てはまらないものもある。地点６地点６〜アジャンタ石窟寺院群〜西安、地点３７〜地点４５地点６〜聖山スライマーン〜タムガリ地点６〜モヘンジョダロ〜（カラコルム山脈）Ｋ２〜五彩城〜モンゴルのストーンサークル〜イチンスキー火山地点６〜地点１７〜オルホン渓谷〜地点２８〜地点２４〜イースター島地点６〜グゲ遺跡〜玉門関（近くに敦煌）地点６〜釈迦生誕地〜北京〜高句麗遺跡地点６〜チョモランマ〜ポタラ宮地点６〜エローラ石窟〜アジャンタ寺院群〜西安〜ＷＬＴＶ地点〜６出雲大社〜元伊勢〜富士山〜玉前神社（御来光ライン）地点６〜ピエ遺跡群〜台湾（月形石柱）地点６〜ボロブドゥール遺跡〜ブサキ寺院〜リンジャニ山（インドネシアの島々）地点６〜ヌビア（メロエ）のピラミッド〜ナパタ地方の遺跡群〜地点５０テオティワカンのピラミッド地点５Ｌ〜聖山スレイマン・トー〜地点６５カラコルム山脈Ｋ２〜グゲ遺跡〜地点４１ヒンドゥ太陽神（コナーラク  スーリヤ寺院）地点５〜マン島〜ドン・エンガス地点５〜チョモランマ〜ボロブドゥール地点５〜ティリチミール山〜バーマーラ〜ゴルコンダフォート〜メディリギリヤ〜ポロンナルワ地点５〜オルホン渓谷〜浅間山〜寒川神社（千葉）〜  パルミラ遺跡〜地点１クフ王ピラミッド＝ライン（あ）地点５〜ロプソン〜サンディエゴ地点５〜地点５１北極点〜グランドキャニオン〜セドナ・カテドラルロック地点７〜カメルーン山〜地点５７〜地点５５グレート・ジンバブエ地点７〜コフンリッチ〜モンテアルバン遺跡地点７〜リシャット構造（サハラの目）〜マンハッタン〜チャコ文化〜セドナ  カテドラルロック〜サンディエゴ地点４〜カルナック列石〜アルタミラ洞窟〜ティシット地点４〜ルルドの泉〜地点７地点４〜パターソン〜ロックビル〜アトランタ〜地点５０地点１〜地点５５＝地点１より真南にあたる。地点１〜メッカ〜ハバラ遺跡〜マリブ遺跡〜地点３１＝地点１より南東
【発明の効果】
【００４６】図１５および図１６の世界地図において人類学的にみて、歴史の古い地域（エジプト文明、メソポタミア文明）が中央に位置するため、さまざまな歴史の歩みや、言語、人種、宗教、などの分布図など置換えたりした時に、解り易いので、歴史などの学習にも効果的である。正円と正方形なので、インテリアとしても納まりの良い形である。【００４７】図１および図１３（a)に代表される略多面体状の地球儀において世界の七不思議で唯一現存する建造物であるギザの大ピラミッドの形態を用いて、クフ王のピラミッドの位置を頂点とした地球儀であり、形態を構成する要素に、さまざまな遺跡や地理的特異点を利用している事から、楽しく地理や歴史を学ぶ事が出来るものである。台座や回転させる仕組みを必要とせず、展開図にも容易にできるので、安価に地球儀を得る事が出来る。また、シンプルで安定した形態であるので、倒れる、転がるなどの心配する事が少なくなる。球体の地球儀とくらべて、より広い範囲が視野に入り、斜め上を向いた面が大半を占めるので、見やすい。地球上の陸地が占める部分を上にしているので、陸地の形や大陸の連なりも見やすくなる。人類学的にみて、歴史の古い部分が上部に位置するため、さまざまな歴史の歩みや、言語、人種、宗教、などの分布図などを重ね合わせた時に、解り易いので、歴史などの学習にも効果的である。学校教材としても、組み立てる構造にしたり、重ねたりすることによって球体のものより収納しやすいうえ、安定した形態なので取り扱いやすい。展開図としての、フォーマットをつくることで、パーソナルコンピューターなど利用して、個人による、オリジナル地球儀の制作が出来る。たとえば、世界の言語の分布図など、さまざまな分布図を立体にしてみるなども容易にかつ安価に出来る。
【図面の簡単な説明】
【００４８】
【図１】本発明の斜視図の一例。
【図２】地点２とライン（あ）およびライン（い）の説明する球体の斜視図
【図３】世界地図（メルカトル図法）による各地点の説明図である
【図４】世界地図（メルカトル図法）による各ライン、あ、い、う、え、お、か、き、け、の説明図
【図５】世界地図（メルカトル図法）による各ライン、く、こ、た、ち、つ、て、と、な、に、ね、ま、みの説明図
【図６】地点１極点に見立て、３０度ごと１２枚とした舟形多円錐図法における説明図。
【図７】aとcは、地点１を上にした時の斜視図である。bは図２２のように見た地点１の説明図
【図８】aとcは、地点２０を上にした時の斜視図である。bは図２２のように見た地点２０の説明図
【図９】地点２９と地点３０を説明する球体の斜視図
【図１０】円錐をもとにした時の実施形態の一例を示す斜視図
【図１１】八角錐をもとにした時の実施形態の一例を示す斜視図
【図１２】四角錐（メロエ型）をもとにした時の実施形態の一例を示す斜視図
【図１３】四角錐（クフ型）をもとにした時の実施形態の一例を示す斜視図
【図１４】ライン（あ）ライン（い）が斜辺となった時と面の中心となった時の一例を示す斜視図
【図１５】地点１を中心にした円形の世界地図の一例を示す平面図。
【図１６】地点１を中心にした正方形の世界地図の一例を示す平面図。
【図１７】実施形態が球体の時の一例を示す斜視図
【図１８】従来型地球儀と本発明の地球儀との併用できる地球儀の一例を示す断面図。
【図１９】(a)は四角錐を基にした略多面体の横辺と部分を示す図。(b)は（a)をもとにした略多面体を示す斜視図
【図２０】(a)は四角錐を基にした略多面体の横辺と部分を示す図。(b)は（a)をもとにした略多面体を示す斜視図
【図２１】四角錐を基にした略多面体の展開図の一例を示す平面図。
【図２２】球体上の地点とラインの関係を平面で示す概念の説明図
【図２３】主にラインの説明図
【図２４】地点８の説明図
【図２５】地点４の説明図
【図２６】地点とラインの説明図
【図２７】（図２６）の中心部の拡大図
【図２８】日本周辺の地点、ライン、の俯瞰図
【図２９】主に、地点５７、５８とライン（の）の説明図
【図３０】主に、地点４７、４８、４９、６０、３８の説明図
【図３１】（a)はストーンヘンジの俯瞰図  （b)は（a)に平面図とラインを重ねた図
【図３２】ストーンヘンジの平面図にラインを示した図
【図３３】地点３５地点３６からなる形と地点１７Ｌ地点１６Ｌからなる形と角度を示す図
【図３４】クフ王のピラミッドの断面図と八面体の側面図によるライン（う）ライン（め）の位置一例を示す図
【図３５】底辺を５０００ｋｍとした四角錐のイメージ図
【図３６】メロエ型（ヌビア型）した時のイメージ図
【図３７】五角形から四角錐を基にした略多面体の断面の形を得る一例図
【図３８】五角形から四角錐を基にした略多面体（メロエ型（ヌビア型））の断面の形を得る一例図
【図３９】八角形から四角錐を基にした略多面体（メロエ型（ヌビア型））の断面の形を得る一例図
【００４９】（実施形態１）本発明の地球儀及び世界地図の実施形態の一例を図面を示して詳細に説明する。本実施形態の地球儀は、図１に示すように定められた各地点とラインをもとに、球体である地球を略多面体状の立体に変形させ、地図を投影させたものである。【００５０】前記地球儀は、  図１０（a)図１１（a)図１２(a)図１３(a)が示す形態とすることができる。この場合いずれも、底面となるのはライン（め）を基準となる。頂点は地点１となる。【００５１】前記地球儀は、図１０（ｂ）図１１（ｂ）図１２（ｂ）図１３（ｂ）が示す形態とすることができる。この場合いずれも、上部頂点は地点１となり、もう一方の頂点は地点２０となり、立体を二分する側面の水平な辺は、ライン（う）となる。【００５２】前記地球儀は、図１０（ｃ）図１１（ｃ）図１２（ｃ）図１３（ｃ）が示す形態とすることができる。この場合いずれも、底面となるのはライン（め）となり頂点は地点１となる。上記の辺でライン（う）となった辺は、この場合、ライン（う）ライン（み）（は）は、平行になるが、平行となる位置のいずれかになる。【００５３】前記地球儀は、図１４が示すように、ライン（あ）が「辺」となる場合と「面」になる場合とする事が出来る。【００５４】前記地球儀は、図１９、図２０が示すように、地図の投影面を部分的に拡大したり縮小したりする事により、より陸地を見やすくする事ができる。【００５５】前記地球儀は、図１７が示すように、地点１を上にした地球儀となる。【００５６】前記地球儀は、図１８が示すように、従来の地球儀としても、本発明の地球儀としても使用する事ができる。【００５７】前記地球儀は、図２１が示すように、平面展開図として、これを組み立てる事により略立体状の地球儀とする事が出来る。パーソナルコンピュータ用のフォーマットを使用する事で、個人が、オリジナルの地球儀を、容易に印刷して組み立てる事が可能となる。【００５８】前記世界地図は、図１５が示すように、円形の世界地図の一例である。【００５９】前記世界地図は、図１６が示すように、正方形の世界地図の一例である。  【００６０】図２２は、球体上の地点とラインの関係を平面で示す概念の説明図であり、舟形多円錐図法を９０度ごとに、４分割したような概念の説明図である。図７(b)、図８(b)、図２３、図２４、図２５、図２６、図２７を説明する。
【符号の説明】
【００６１】1 （地点１）緯度  29°58'44.78"N   経度  31° 8'3.92"E    (以下、緯度、経度の記入を省略する。）2 （地点２）0° 0'00.00"N      0° 0'0.00"E   3 （地点３）0° 0'00.00"N  180°00'00.00"E  4 （地点４）51°17'5.49"N    1°44'7.71"W    （地点４L） 51°29'50.27"N    2°22'8.17"W5 （地点５）45°50'43.36"N    67°23'24.05"E    （地点５L） 45°58'20.34"N   68° 0'29.11"E  6 （地点６）3°35'1.52"N     51° 5'2.30"E    （地点６L）3°12'36.03"N     51°19'53.40"E  7 （地点７）7°14'2.77"N    6°31'56.54"E    （地点７L）6°54'1.30"N    6°13'37.87"E  8 （地点８）33°38'41.31"N    143°22'38.64"E    9 （地点９）4°42'39.22"S    118°21'2.33"E  10（地点１０）42° 8'33.63"S  89°59'53.48"E  11（地点１１）59°51'49.94"S  20°16'51.32"E  12（地点１２）33°34'56.23"S  36°31'47.81"W  13（地点１３）4°44'52.77"N  61°29'2.68"W    14（地点１４）42°11'24.43"N  89°56'15.86"W  15（地点１５）59°49'59.76"N 159°41'36.83"W  16（地点１６）62° 6'38.02"N   37°20'24.49"E    （地点１６L）62°32'4.56"N   37°30'18.13"E  17（地点１７）22°13'50.63"N  66°14'32.90"E     （地点１７L）22° 3'30.08"N  66°40'10.10"E  18（地点１８）2°26'1.51"S   28°15'1.22"E     （地点１８L）2°51'58.30"S   28°12'52.52"E  19（地点１９）27°47'0.31"N    5°50'38.96"W    （地点１９L）27°41'10.84"N     6°19'6.70"W  20（地点２０）  29°58'44.98"S    148°51'56.85"W  21（地点２１）  2°52'20.98"N    151°48'49.04"W  22（地点２２）  27°42'13.96"S    173°40'24.55"E  23（地点２３）  62°31'52.42"S  142°27'10.79"W  24（地点２４）  22° 4'47.11"S    113°19'19.91"W  25（地点２５）  6°54'13.22"S    173°46'24.52"W  26（地点２６）  51°27'21.77"S    177°36'30.02"E  27（地点２７）  45°58'24.68"S  111°59'47.73"W  28（地点２８）  3°12'37.61"S    128°40'13.81"W  29（地点２９） 0° 1'18.08"S    121° 1'48.31"E 30（地点３０）  0° 6'25.98"N     58°49'36.67"W  31（地点３１） 38° 0'31.14"S     94°35'39.88"E  32（地点３２） 38° 3'42.42"N     85°19'33.61"W  33（地点３３） 37°56'56.42"N    147°29'4.99"E  34（地点３４）  37°53'36.02"S   32°25'59.19"W  35（地点３５）  0° 9'48.43"N   53°22'48.66"E  36（地点３６） 53° 5'49.09"N    7°45'53.66"W  37（地点３７） 34°15'42.30"N    108°56'19.82"E  38（地点３８）  34°27'17.93"N    136°43'32.16"E  39（地点３９） 14°23'52.88"N    104°40'49.29"E  40（地点４０）  35°35'9.95"N  109°16'11.92"E41（地点４１） 19°53'15.17"N     86° 5'40.49"E42（地点４２） 73°42'56.39"N    137° 8'0.47"E  43（地点４３） 50°37'34.47"N    114° 0'25.60"E44（地点４４） 14°36'44.36"S     75° 9'45.12"W  45（地点４５）  37°31'18.20"N    136°30'26.23"E46（地点４６） 32°54'46.30"N    129°39'26.15"E47（地点４７）   37°20'18.52"N    136°44'17.02"E48（地点４８）   35°22'33.93"N    140°21'37.81"E49（地点４９）   35°24'45.87"N    133° 5'5.59"E50（地点５０）   19°41'32.51"N     98°50'36.76"W51（地点５１）  90°00'00.00"N   経度なし    0° 0'0.00"E 北極点52（地点５２）   90°00'00.00"S  経度なし    0° 0'0.00"W 南極点53（地点５３） 63°29'60.00"S    138° 0'0.00"E  南磁極54（地点５４） 82°17'57.57"N    113°24'3.70"W  北磁極  55（地点５５） 20°16'22.85"S   30°56'3.71"E  56（地点５６） 32°53'11.91"N  106°20'14.77"W57（地点５７）   15° 9'23.90"S   25°50'49.96"E58（地点５８）   15° 9'24.02"N  154° 9'10.15"W59（地点５９）   30° 9'37.66"N  106°52'41.11"E60（地点６０）    35°26'56.71"N  136°43'47.21"E  （地点６０Ｇｉｆｕ） 35°23'31.60"N    136°43'20.83"E61（地点６１）   33°27'58.84"N    136°30'21.48"E62（地点６２）   41° 9'27.97"N    126°13'33.98"E63（地点６３） 48° 7'40.54"N   90° 0'0.00"E 64（地点６４） 48° 8'10.66"S   90° 0'0.29"W  65（地点���５） 35°52'55.73"N     76°30'48.46"E66（地点６６） 36°41'40.85"N  155° 4'58.84"W67（地点６７）15°56'10.15"S  139°22'36.06"E68（地点６８）81°52'54.36"S    6°53'32.55"W69（地点６９） 7° 5'39.75"S   81°50'50.95"W70（地点７０） 24°37'33.74"N  108°42'16.62"W71（地点７１） 18° 4'52.84"N  162°59'3.11"E72（地点７２） 54°20'57.70"S  120°17'44.80"E73（地点７３）44°52'35.40"S     63°10'37.20"W あ＝地点２を起点に地点、７，１、５、８、３、２５、２０、２７、１２、を    通過し地球を一周するライン   あ１＝「あ」のライン上の地点１から地点８を通過し、地点２０までとする。   あ２＝「あ」のライン上の地点１から地点１２を通過し、地点２０までとする。い＝地点４を起点に、１、６、１０、２６、２０、２８、１４を通過するライン   い１＝「い」のライン上の地点１から地点１４を通過し地点２０までとする。   い２＝「い」のライン上の地点１から地点１０を通過し地点２０までとする。う＝地点８を起点に、９、１０，１１、１２、１３、１４、１５と通過するライン    地点１を地球の極点とみたてた場合の赤道に相当する  え＝地点１から地点１５を通過し地点２０までのラインお＝地点１から地点  ９を通過し地点２０までのラインか＝地点１から地点１１を通過し地点２０までのラインき＝地点１から地点１３を通過し地点２０までのラインく＝地点３９を起点に３７、４０、４２、３２、４４、３１、を通過するラインけ＝地点４を起点に、（厳密にはストーンヘンジの中心   51°10'43.98"N    1°49'34.37"W）    地点５、３９、９、２６，２７、４４、１３を通過するラインこ＝地点１を起点に地点３９、２０，４４を通過するラインた＝地点８を起点に４４、１２、３９を通過するラインち＝地点４を地球の極点と見立てた時の赤道に相当するライン    地点８を起点に地点１２、座標 17°30'50.67"N  114°34'17.04"Wを通過し    座標17°25'28.70"S   65°25'49.83"Eを通過するラインつ＝地点８と地点３６を繋いだラインて＝地点８と地点３５を繋いだラインと＝地点３９を起点に、１５、４４、１１、を通過するラインな＝地点４５（WLTV）から地点５０（Teoti）を繋いだライン延長上に地点４６（WLTW）がある。に＝地点６から地点４５を繋いだライン  地点３７を通過するぬ＝地点６から地点４８JOTEを繋いだライン  地点４９を通過する。ね＝地点４（SH点）（厳密にはストーンヘンジの中心   51°10'43.98"N    1°49'34.37"W）と、    地点４０を繋いだラインの＝地点５７地点５９地点３８地点５８を繋ぐライン    のa＝地点５７地点６地点３７地点５８を繋ぐライン    のa＝地点５７緯度 26°57'32.23"N  経度108° 7'5.68"Eの地点、地点５８を繋ぐラインは＝地点１を北極点と見立てた時の北回帰線に相当するラインま＝東西の９０度経線  地点１４地点６３地点１０地点６４を通過する。    地点２と地点３を極点に見立てた時の赤道に相当する。み＝地点６６、６７、６８、６９、７０、７１，７２、７３を通過する。    このラインは地点１のクフ王のピラミッドを極点（北極）と見立てた時の、南回帰線相当する。    地点２０から、7400kmの地点であり、ライン（う）より地球の中心からの角度が23,43°（地軸の傾きと同じ）む＝地点５L、１７L、６L、１８L、７L、１９L、４L、１６Lを繋ぐ地点１を中心とする半径3648kmの円の円周ラインめ＝地点２１L、２２L、２３L、２４L、２５L、２６L、２７L��２８Lを繋ぐ地点２０を中心とする半径3648kmの円の円周ライン
【図２】
2014235357.tif 000003
【図９】
2014235357.tif 000004
【図１０】
2014235357.tif 000005
【図１１】
2014235357.tif 000006
【図１２】
2014235357.tif 000007
【図１３】
2014235357.tif 000008
【図２２】
2014235357.tif 000009
【図２４】
2014235357.tif 000010
【図２５】
2014235357.tif 000011
【図２７】
2014235357.tif 000012
【図１】
2014235357.tif 000013
【図３】
2014235357.tif 000014
【図４】
2014235357.tif 000015
【図５】
2014235357.tif 000016
【図６】
2014235357.tif 000017
【図７】
2014235357.tif 000018
【図８】
2014235357.tif 000019
【図１４】
2014235357.tif 000020
【図１５】
2014235357.tif 000021
【図１６】
2014235357.tif 000022
【図１７】
2014235357.tif 000023
【図１８】
2014235357.tif 000024
【図１９】
2014235357.tif 000025
【図２０】
2014235357.tif 000026
【図２１】
2014235357.tif 000027
【図２３】
2014235357.tif 000028
【図２６】
2014235357.tif 000029
【図２８】
2014235357.tif 000030
【図２９】
2014235357.tif 000031
【図３０】
2014235357.tif 000032
【図３１】
2014235357.tif 000033
【図３２】
2014235357.tif 000034
【図３３】
2014235357.tif 000035
【図３４】
2014235357.tif 000036
【図３５】
2014235357.tif 000037
【図３６】
2014235357.tif 000038
【図３７】
2014235357.tif 000039
【図３８】
2014235357.tif 000040
【図３９】
2014235357.tif 000041